(57)【特許請求の範囲】
【請求項１】
絶縁基板と、前記絶縁基板上において表示領域の外側に位置する非表示領域に配置された第１コモン電極と、前記第１コモン電極上に配置されるとともに前記第１コモン電極まで貫通する第１コンタクトホールおよび第２コンタクトホールが形成された第１絶縁膜と、前記第１絶縁膜の上に配置され前記第１コンタクトホールを覆うとともに前記第１コンタクトホールを介して前記第１コモン電極と電気的に接続された第２コモン電極と、前記第２コモン電極に積層されるとともに前記第２コモン電極と電気的に接続され、かつ、前記第１絶縁膜上に延在し前記第２コンタクトホールを覆うとともに前記第２コンタクトホールを介して前記第１コモン電極と電気的に接続された電極パッドと、を備えた第１基板と、
前記表示領域から前記非表示領域に延在して前記電極パッドに対向するように配置された対向電極を備えた第２基板と、
前記電極パッドと前記対向電極との間に配置され、前記電極パッドと前記対向電極とを電気的に接続する導電部材と、
を備えたことを特徴とする液晶表示装置。
【請求項２】
前記第１基板は、ゲート電極を有するスイッチング素子を有し、
前記第１コモン電極は、前記ゲート電極と同一層に配置され前記ゲート電極と同一材料によって形成されたことを特徴とする請求項１に記載の液晶表示装置。
【請求項３】
前記第１基板は、ソース電極を有するスイッチング素子を有し、
前記第２コモン電極は、前記ソース電極と同一層に配置され前記ソース電極と同一材料によって形成されたことを特徴とする請求項１に記載の液晶表示装置。
【発明の詳細な説明】
【技術分野】
【０００１】
この発明は、液晶表示装置に関する。
【背景技術】
【０００２】
液晶表示装置では、アレイ基板の端子部から入力された信号に基づいて、アレイ基板の画素電極と対向基板の対向電極との間に所定の電圧を印加し、液晶分子を駆動し、画像の表示を行っている。
【０００３】
特に、特許文献１によれば、給電配線接続パッドと冗長給電配線とが接続され、給電配線コンタクト用ＩＴＯ膜によって給電配線接続パッドと給電配線とが接続され、給電配線と第１給電端子とが接続され、給電端子コンタクト用ＩＴＯ膜によって冗長給電配線と第１給電端子とが接続され、基板間導電部材を介して第１給電端子と対向電極の延在部からなる第２給電端子とが接続される技術が開示されている。これにより、アレイ基板上の第１給電端子が基板間導電材を介して対向基板上の対向電極への給電が行われる。
【０００４】
しかしながら、上述した構成において、例えばコンタクトホールの段差によって、対向電極に対して所定の電位を供給するためのコモン配線と電極パッドとの間で接続不良が発生することがある。これにより、アレイ基板側から対向基板側に電圧が供給されず、液晶層に対して駆動に必要な電界を印加することができず、表示不良を生ずることがある。
【先行技術文献】
【特許文献】
【０００５】
【特許文献１】特開２００３−１６１９５７号公報
【発明の概要】
【発明が解決しようとする課題】
【０００６】
この発明の目的は、表示不良の発生を抑制することが可能な液晶表示装置を提供することにある。
【課題を解決するための手段】
【０００７】
この発明の一態様によれば、絶縁基板と、前記絶縁基板上において表示領域に配置された画素電極と、前記絶縁基板上において表示領域の外側に位置する非表示領域に配置された第１コモン電極と、前記第１コモン電極上に配置されるとともに前記第１コモン電極と電気的に接続された第２コモン電極と、前記第１コモン電極上に配置された絶縁膜と、前記第２コモン電極上に配置されるとともに前記第２コモン電極と電気的に接続され、かつ、前記絶縁膜上に配置されるとともに前記絶縁膜を前記第1コモン電極まで貫通するコンタクトホールを介して前記第１コモン電極と電気的に接続された電極パッドと、を備えた第１基板と、前記画素電極と対向するとともに、非表示領域に延在して前記電極パッドに対向するように配置された対向電極を備えた第２基板と、表示領域を囲むとともに前記第１基板と前記第２基板との間に配置され、前記第１基板と前記第２基板とを貼り合わせるシール部材と、前記シール部材の外側において前記電極パッドと前記対向電極との間に配置され、前記電極パッドと前記対向電極とを電気的に接続する導電部材と、を備えた液晶表示装置が提供される。
【０００８】
この発明の他の態様によれば、絶縁基板と、前記絶縁基板上に配置された第１コモン電極と、前記第１コモン電極上に配置されるとともに前記第１コモン電極まで貫通する第１コンタクトホールおよび第２コンタクトホールが形成された絶縁膜と、前記第１コンタクトホールを覆うとともに前記第１コンタクトホールを介して前記第１コモン電極と電気的に接続された第２コモン電極と、前記第２コモン電極の上に配置されるとともに前記第２コモン電極と電気的に接続され、かつ、前記絶縁膜上に延在し前記第２コンタクトホールを覆うとともに前記第２コンタクトホールを介して前記第１コモン電極と電気的に接続された電極パッドと、を備えた第１基板と、前記電極パッドに対向するように配置された対向電極を備えた第２基板と、前記電極パッドと前記対向電極との間に配置され、前記電極パッドと前記対向電極とを電気的に接続する導電部材と、を備えた液晶表示装置が提供される。
【発明の効果】
【０００９】
この発明によれば、表示不良の発生を抑制することが可能な液晶表示装置を提供することができる。
【図面の簡単な説明】
【００１０】
【図１】図１は、この発明の一実施の形態に係る液晶表示パネルの構成を概略的に示す図である。
【図２】図２は、図１に示した液晶表示パネルにおける画素の構成を概略的に示す断面図である。
【図３】図３は、図１に示した液晶表示パネルの非表示領域の一部の構成を概略的に示す平面図である。
【図４】図４は、図３に示した液晶表示パネルをＩＶ−ＩＶ線およびＩＶ’−ＩＶ’線で切断したときの断面図である。
【図５】図５は、図４に示した液晶表示パネルにおけるコモン配線と電極パッドとを接続する等価回路を示す図である。
【発明を実施するための形態】
【００１１】
以下、この発明の一実施の形態に係る液晶表示装置について図面を参照して説明する。
【００１２】
図１に示すように、液晶表示装置は、略矩形平板状の液晶表示パネル１００を備えている。液晶表示パネル１００は、一対の基板すなわちアレイ基板（第１基板）２００および対向基板（第２基板）３００と、アレイ基板２００と対向基板３００との間に保持された液晶層４００と、によって構成されている。これらのアレイ基板２００と対向基板３００とは、シール部材１１０によって貼り合わせられ、これらの間に液晶層４００を保持するための所定のギャップを形成する。液晶層４００は、アレイ基板２００と対向基板３００とのギャップに封入されている。
【００１３】
液晶表示パネル１００は、マトリクス状に配置された複数の画素ＰＸによって構成された表示領域１２０を備えている。シール部材１１０は、表示領域１２０を囲むように配置されている。さらに、液晶表示パネル１００は、表示領域１２０とシール部材１１０との間に配置された遮光層１１２を備えている。
【００１４】
アレイ基板２００は、表示領域１２０において、画素ＰＸの行方向に沿って延在する複数の走査線Ｙ（１、２、３、…、ｍ）と、画素ＰＸの列方向に沿って延在する複数の信号線Ｘ（１、２、３、…、ｎ）と、各画素ＰＸにおける信号線Ｘと走査線Ｙとの交差部に配置されたスイッチング素子２２０と、画素ＰＸのそれぞれに配置されスイッチング素子２２０に接続された画素電極２５０と、を備えている。走査線Ｙと信号線Ｘとは、絶縁層（図示しない）を介して互いに交差するように配置されている。
【００１５】
スイッチング素子２２０は、例えば薄膜トランジスタによって構成されている。スイッチング素子２２０のゲート電極２２２は、走査線Ｙに接続されている（あるいは、ゲート電極２２２は、走査線Ｙと一体的に形成されている）。スイッチング素子２２０のソース電極２２５は、信号線Ｘに接続されている（あるいは、ソース電極２２５は、信号線Ｘと一体的に形成されている）。スイッチング素子２２０のドレイン電極２２７は、画素電極２５０に接続されている。
【００１６】
対向基板３００は、表示領域１２０において、複数の画素電極２５０のそれぞれに対向した対向電極３５０を備えている。
【００１７】
また、液晶表示パネル１００は、表示領域１２０の外側に位置する非表示領域１３０に配置された接続部１３１を備えている。この接続部１３１は、液晶表示パネル１００を駆動するのに必要な各種信号を供給する信号供給源として機能する駆動ＩＣチップやフレキシブル配線基板と接続可能である。図１に示した例では、接続部１３１は、対向基板３００の端部３００Ａより外方に延在したアレイ基板２００の延在部２００Ａ上に形成されている。
【００１８】
表示領域１２０に配置された走査線Ｙ（１、２、３、…、ｍ）のそれぞれは、非表示領域１３０に引き出されて接続部１３１に接続されている。また、信号線Ｘ（１、２、３、…、ｎ）のそれぞれも同様に、非表示領域１３０に引き出されて接続部１３１に接続されている。
【００１９】
次に、アレイ基板２００および対向基板３００の構造をより詳細に説明する。
【００２０】
図２に示すように、アレイ基板２００は、ガラスなどの光透過性を有する絶縁基板２１０を用いて形成される。各スイッチング素子２２０は、絶縁基板２１０の上に配置された半導体層２４２を備えている。この半導体層２４２は、例えばポリシリコンやアモルファスシリコンによって形成されている。半導体層２４２は、チャネル領域を挟んだ両側にそれぞれソース領域およびドレイン領域を有している。この半導体層２４２は、ゲート絶縁膜２４６によって覆われている。このゲート絶縁膜２４６は、例えば、テトラエトキシシラン（ＴＥＯＳ）によって形成されている。また、ゲート絶縁膜２４６は、表示領域１２０のほぼ全面に亘って配置されるとともに、非表示領域１３０にも延在している。
【００２１】
スイッチング素子２２０のゲート電極２２２は、図示しない走査線Ｙと一体に形成されゲート絶縁膜２４６上に配置され、半導体層２４２のチャネル領域の直上に位置している。走査線Ｙおよびゲート電極２２２は、例えば、モリブデン−タングステン（ＭｏＷ）などの導電材料によって形成されている。これらのゲート電極２２２および走査線Ｙは、絶縁膜２４４（以下、層間絶縁膜と称する）によって覆われている。この層間絶縁膜２４４は、例えば、酸化シリコン（ＳｉＯ）や、窒化シリコン（ＳｉＮ）などによって形成されている。また、層間絶縁膜２４４は、表示領域１２０のほぼ全面に亘って配置されるとともに、非表示領域１３０にも延在し、ゲート絶縁膜２４６に重なっている。
【００２２】
スイッチング素子２２０のソース電極２２５およびドレイン電極２２７は、層間絶縁膜２４４の上においてゲート電極２２２の両側に配置されている。ソース電極２２５は、図示しない信号線Ｘと一体に形成され、半導体層２４２のソース領域にコンタクトしている。ドレイン電極２２７は、半導体層２４２のドレイン領域にコンタクトしている。ソース電極２２５、ドレイン電極２２７および信号線Ｘは、例えば、モリブデン（Ｍｏ）／アルミニウム−ネオジウム（ＡｌＮｄ）／モリブデン（Ｍｏ）の３層の積層体などによって形成されている。これらのソース電極２２５、ドレイン電極２２７および信号線Ｘは、絶縁膜、例えばカラーフィルタ層２３０によって覆われている。
【００２３】
カラーフィルタ層２３０は、互いに異なる複数の色、例えば赤色、緑色、青色といった３原色にそれぞれ着色された着色樹脂によって形成されている。例えば、カラーフィルタ層２３０は、赤色画素に対応して配置され赤色の主波長の光を透過するように着色された樹脂からなる赤色カラーフィルタ層２３０Ｒ、緑色画素に対応して配置され緑色の主波長の光を透過するように着色された樹脂からなる緑色カラーフィルタ層２３０Ｇ、さらに、青色画素に対応して配置され青色の主波長の光を透過するように着色された樹脂からなる青色カラーフィルタ層２３０Ｂを備えている。赤色カラーフィルタ層２３０Ｒ、緑色カラーフィルタ層２３０Ｇ、青色カラーフィルタ層２３０Ｂは、それぞれスイッチング素子２２０の上にも配置されている。
【００２４】
画素電極２５０は、カラーフィルタ層２３０の上に配置され、カラーフィルタ層２３０に形成されたコンタクトホール２３０ＣＨを介してドレイン電極２２７Ｄと電気的に接続されている。画素電極２５０は、インジウム・ティン・オキサイド（ＩＴＯ）やインジウム・ジンク・オキサイド（ＩＺＯ）などの光透過性を有する導電性酸化物材料によって形成されている。
【００２５】
対向基板３００は、ガラスなどの光透過性を有する絶縁基板３１０を用いて形成される。
【００２６】
対向電極３５０は、表示領域１２０において、複数の画素ＰＸに対応して画素電極２５０に対向するように配置されている。また、対向電極３５０は、非表示領域１３０に延在している。対向電極３５０は、ＩＴＯやＩＺＯなどの光透過性を有する導電性酸化物材料によって形成されている。
【００２７】
これらのアレイ基板２００および対向基板３００の表面は、液晶層４００に含まれる液晶分子の配向を制御するための配向膜２６０および３６０によってそれぞれ覆われている。また、アレイ基板２００および対向基板３００の外面には、それぞれ光学素子２７０および３７０が設けられている。これらの光学素子２７０および３７０は、液晶層４００の特性に合わせて偏光方向を設定した偏光板などを含んでいる。
【００２８】
シール部材１１０は、非表示領域１３０に配置されている。シール部材１１０は、層間絶縁膜２４４と対向電極３５０との間に配置され、アレイ基板２００と対向基板３００とを貼り合わせている。このようなシール部材１１０は、紫外線硬化型樹脂や熱硬化型樹脂など各種樹脂材料によって形成されている。
【００２９】
遮光層１１２は、非表示領域１３０に配置され、表示領域１２０とシール部材１１０との間に配置されている。遮光層１１２は、層間絶縁膜２４４上に配置されている。遮光層１１２の一部は、シール部材によって覆われている。このような遮光層１１２は、黒色に着色された樹脂材料などによって形成されている。
【００３０】
図３に示すように、さらに、液晶表示パネル１００は、アレイ基板２００に備えられた第１コモン電極５１０Ａと、第２コモン電極５１０Ｂと、コモン配線５１２と、電極パッド５２０と、アレイ基板２００と対向基板３００との間に配置された導電部材７００と、を備えている。なお、図３では、説明に必要な主要部のみを図示している（遮光層１１２などは省略している）。
【００３１】
第１コモン電極５１０Ａは、非表示領域１３０に配置されている。ここでは、第１コモン電極５１０Ａの一部は、シール部材１１０の下に延在している。第１コモン電極５１０Ａは、コモン配線５１２に接続されている。
【００３２】
コモン配線５１２は、非表示領域１３０に配置され、接続部１３１と第１コモン電極５１０Ａとの間を接続している。このコモン配線５１２には、接続部１３１を介して供給された所定の電位、例えばコモン電位が給電されている。なお、コモン配線５１２は、非表示領域１３０の接続部１３１からシール部材１１０と交差して表示領域１２０を経由して、再びシール部材１１０と交差し、第１コモン電極５１０Ａと接続されてもよい。
【００３３】
第２コモン電極５１０Ｂは、非表示領域１３０において、第１コモン電極５１０Ａの上に配置されている。ここでは、第２コモン電極５１０Ｂは、シール部材１１０の下に配置されている。第２コモン電極５１０Ｂは、第１コモン電極５１０Ａの上に配置された絶縁膜（図示しない）を貫通する第１コンタクトホール５１０ＣＨを介して第１コモン電極５１０Ａと電気的に接続されている。この第２コモン電極５１０Ｂは、第１コモン電極５１０Ａと同電位であり、コモン配線５１２を介して所定の電位に設定されている。
【００３４】
電極パッド５２０は、非表示領域１３０において、第１コモン電極５１０Ａおよび第２コモン電極５１０Ｂの上に配置されている。ここでは、電極パッド５２０の一部は、シール部材１１０の下に延在している。電極パッド５２０は、第２コモン電極５１０Ｂの少なくとも一部を覆うように配置されている。電極パッド５２０は、第２コモン電極５１０Ｂと電気的に接続されている。また、電極パッド５２０は、絶縁膜を貫通する第２コンタクトホール５２０ＣＨを介して第１コモン電極５１０Ａに接続されている。この電極パッド５２０は、第１コモン電極５１０Ａおよび第２コモン電極５１０Ｂと同電位であり、コモン配線５１２を介して所定の電位に設定されている。
【００３５】
導電部材７００は、非表示領域１３０に配置され、電極パッド５２０上に配置されている。導電部材７００は、シール部材１１０の外側、すなわち、シール部材１１０よりもパネル端１００Ｅ側に配置されている。導電部材７００は、電極パッド５２０と電気的に接続され、第１コモン電極５１０Ａ、第２コモン電極５１０Ｂおよびコモン配線５１２を介して所定の電位に設定されている。
【００３６】
図４に示すように、対向基板３００において、対向電極３５０は、シール部材１１０よりも外側つまり対向基板端３００Ｅ側に延在している。第１コモン電極５１０Ａは、絶縁基板２１０上において、第１絶縁膜５３２上に配置されている。第１コモン電極５１０Ａは、図示しない走査線Ｙおよびゲート電極２２２などと同一層に配置され、しかも、走査線Ｙおよびゲート電極２２２などと同一材料（例えば、モリブデン−タングステン（ＭｏＷ））によって形成されている。また、第１コモン電極５１０Ａと接続されているコモン配線５１２の少なくとも一部は、第１コモン電極５１０Ａと同様に、走査線Ｙおよびゲート電極２２２などと同一層に配置され、走査線Ｙおよびゲート電極２２２などと同一材料によって形成されている。
【００３７】
このような第１コモン電極５１０Ａおよびコモン配線５１２は、第２絶縁膜５３４によって覆われている。第２絶縁膜５３４には、第１コモン電極５１０Ａまで貫通する第１コンタクトホール５１０ＣＨおよび第２コンタクトホール５２０ＣＨが形成されている。ここで、第１絶縁膜５３２は、図２を参照して説明したゲート絶縁膜２４６に対応し、第２絶縁膜５３４は、層間絶縁膜２４４に対応するが、第１絶縁膜５３２とゲート絶縁膜２４６が一体でなくてもよいし、また、第２絶縁膜５３４と層間絶縁膜２４４とが一体でなくてもよい。また、第１絶縁膜５３２はゲート絶縁膜２４６とは異なる材料によって形成されても良いし、また、第２絶縁膜５３４は層間絶縁膜２４４とは異なる材料によって形成されても良い。
【００３８】
第２コモン電極５１０Ｂは、第２絶縁膜５３４の上に配置されるとともに、第２絶縁膜５３４に形成された第１コンタクトホール５１０ＣＨから露出した第１コモン電極５１０Ａを覆っている。第２コモン電極５１０Ｂは、図示しない信号線Ｘ、ソース電極２２５、ドレイン電極２２７などと同一層に配置され、しかも、これらの信号線Ｘ、ソース電極２２５、ドレイン電極２２７などと同一材料（例えば、モリブデン（Ｍｏ）／アルミニウム−ネオジウム（ＡｌＮｄ）／モリブデン（Ｍｏ）の３層の積層体）によって形成されている。
【００３９】
電極パッド５２０は、第２絶縁膜５３４および第２コモン電極５１０Ｂの上に配置されている。電極パッド５２０は、第２絶縁膜５３４および第２コモン電極５１０Ｂを介して第１コモン電極５１０Ａと対向している。電極パッド５２０は、シール部材１１０よりも外側において、対向電極３５０と対向している。電極パッド５２０は、第２絶縁膜５３４に形成された第２コンタクトホール５２０ＣＨから露出した第１コモン電極５１０Ａを覆っている。つまり、電極パッド５２０は、第２コモン電極５１０Ｂの少なくとも一部を覆い、さらに第２絶縁膜５３４の上に延出し、第２コンタクトホール５２０ＣＨを覆っている。電極パッド５２０は、画素電極２５０と同一層に配置され、画素電極２５０と同一材料（例えば、ＩＴＯ）によって形成されている。つまり、電極パッド５２０は、異なる２つの層に配置された第１コモン電極５１０Ａと第２コモン電極５１０Ｂとにそれぞれ電気的に接続されている。
【００４０】
なお、図４に示した例では、第１コモン電極５１０Ａ、第２コモン電極５１０Ｂ、および、電極パッド５２０の３層が積層された部分（第１コンタクトホール５１０ＣＨ相当の部分）については、遮光層１１２によって覆われている。また、第１コモン電極５１０Ａ及び電極パッド５２０が積層された部分（第２コンタクトホール５２０ＣＨ相当の部分）については、シール部材１１０によって覆われている。
【００４１】
導電部材７００は、シール部材１１０よりも外側において、電極パッド５２０と対向電極３５０との間に配置されている。つまり、対向電極３５０は、導電部材７００により、電極パッド５２０を介して第１コモン電極５１０Ａと電気的に接続されている。これにより、対向電極３５０は、第１コモン電極５１０Ａと同電位、例えばコモン電位に設定される。
【００４２】
つまり、この実施の形態において、図５に示すように、コモン配線５１２から電極パッド５２０への電圧印加経路には、２つの経路、すなわち第１経路Ｌ１および第２経路Ｌ２がある。第１経路Ｌ１において、第１コモン電極５１０Ａと第２コモン電極５１０Ｂとが接続され、さらに、第２コモン電極５１０Ｂと電極パッド５２０とが接続されている。つまり、第１経路Ｌ１において、第１コモン電極５１０Ａおよび第２コモン電極５１０Ｂを介して、コモン配線５１２から電極パッド５２０へと電圧が印加される。また、第２経路Ｌ２において、第１コモン電極５１０Ａと電極パッド５２０とが接続されている。つまり、第２経路Ｌ２において、第１コモン電極５１０Ａを介して、コモン配線５１２から電極パッド５２０へと電圧が印加される。
【００４３】
この実施の形態において、電極パッド５２０は、第２コンタクトホール５２０ＣＨを介して、第１コモン電極５１０Ａと接続され、さらに、第１コンタクトホール５１０ＣＨおよび第２コモン電極５１０Ｂを介して、第１コモン電極５１０Ａと接続されている。
【００４４】
このため、第１コモン電極５１０Ａと第２コモン電極５１０Ｂとの接続部分において、例えば第１コンタクトホール５１０ＣＨの段差によって、第１コモン電極５１０Ａと第２コモン電極５１０Ｂとの間で接続不良が生じても、第２コンタクトホール５２０ＣＨを介して、第１コモン電極５１０Ａと電極パッド５２０とが接続されている。つまり、電圧印加経路として第２経路Ｌ２が確保されている。これにより、電極パッド５２０は、コモン配線５１２から第１コモン電極５１０Ａを介して所定の電位に設定される。
【００４５】
また、第２コモン電極５１０Ｂと電極パッド５２０との接続部分において、第２コモン電極５１０Ｂと電極パッド５２０との間で接続不良が生じても、第２コンタクトホール５２０ＣＨを介して第１コモン電極５１０Ａと電極パッド５２０とが接続されている。この場合も同様に、電圧印加経路として第２経路Ｌ２が確保されている。これにより、電極パッド５２０は、コモン配線５１２から第１コモン電極５１０Ａを介して所定の電位に設定される。
【００４６】
さらに、第１コモン電極５１０Ａと電極パッド５２０との接続部分において、例えば第２コンタクトホール５２０ＣＨの段差によって、第１コモン電極５１０Ａと電極パッド５２０との間で接続不良が生じても、第１コンタクトホール５１０ＣＨおよび第２コモン電極５１０Ｂを介して第１コモン電極５１０Ａと電極パッド５２０とが接続されている。つまり、電圧印加経路として第１経路Ｌ１が確保されている。これにより、電極パッド５２０は、コモン配線５１２から第１コモン電極５１０Ａ及び第２コモン電極５１０Ｂを介して所定の電位に設定される。
【００４７】
つまり、第１経路Ｌ１においてコモン配線５１２と電極パッド５２０との間で接続不良が生じても、第２経路Ｌ２においてコモン配線５１２と電極パッド５２０とが接続されている。また、第２経路Ｌ２においてコモン配線５１２と電極パッド５２０との間で接続不良が生じても、第１経路Ｌ１においてコモン配線５１２と電極パッド５２０とが接続される。
【００４８】
これにより、アレイ基板２００のコモン配線５１２から対向基板３００の対向電極３５０に電圧が供給され、液晶層４００に対して駆動に必要な電圧を印加することができ、表示不良を防ぐことが可能となる。
【００４９】
以上説明したように、本実施形態において、表示不良を防ぐことが可能な液晶表示装置を提供することができる。
【００５０】
なお、この発明は、上記実施形態そのものに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば実施形態に示される全構成要素から幾つかの構成要素を削除してもよい。更に、異なる実施形態に亘る構成要素を適宜組み合せてもよい。
【００５１】
本実施形態の液晶表示パネル１００においては、複数個所で導電部材７００を介して対向電極３５０と電極パッド５２０とが電気的に接続されてもよく、この場合、いずれの箇所も上記した構成が適用可能である。
【符号の説明】
【００５２】
１２０…表示領域  １３０…非表示領域  ２１０…絶縁基板  ２５０…画素電極    ５１０Ａ…第１コモン電極  ５１０Ｂ…第２コモン電極  ５３４…絶縁膜  ５２０ＣＨ…コンタクトホール  ５２０…電極パッド  ２００…アレイ基板  ３５０…対向電極  ３００…対向基板  １１０…シール部材  ７００…導電部材
【図１】
0005508775.tif 000002
【図２】
0005508775.tif 000003
【図３】
0005508775.tif 000004
【図４】
0005508775.tif 000005
【図５】
0005508775.tif 000006